(57)【要約】【課題】一つのパネル領域で全画面的に表示することと、分割した各パネル領域で独立した表示を行うことの切替を可能にする。【解決手段】表示パネル１１は、格子状に配列した画素１２をデータ線Ｄ及びゲート線Ｇで接続し、画素１２間のＸ方向における同一箇所で、各ゲート線Ｇにスイッチユニット１３を設ける。スイッチユニット１３は、全ゲート線Ｇの接続及び切断を切り替える複数の切断スイッチ１４を含むと共に、各スイッチ１４の切替を連動させる連動切替部１５を設ける。表示パネル１１を全パネル領域で使用する場合、スイッチユニット１３の各切断スイッチ１４を接続側にする。表示パネル１１を独立した左右のパネル領域１１Ａ、１１Ｂに分割する場合、スイッチユニット１３の各切断スイッチ１４を切断側に切り替える。【選択図】図３
2007322747.tif 000002
【特許請求の範囲】
【請求項１】
水平方向及び垂直方向に配列した複数の画素を、水平方向に伸長する複数のゲート線及び垂直方向に伸長する複数のデータ線で接続した表示パネルにおいて、
全パネル領域を複数のパネル領域に分割するように各画素の接続を切断する切断スイッチを備えることを特徴とする表示パネル。
【請求項２】
前記切断スイッチは、前記複数のゲート線の水平方向で同一となる箇所に設けてある請求項１に記載の表示パネル。
【請求項３】
前記切断スイッチは、水平方向の複数の同一箇所にそれぞれ設けてある請求項２に記載の表示パネル。
【請求項４】
前記切断スイッチは、水平方向の同一箇所で連動して複数のゲート線を切断するようにしてある請求項２又は請求項３に記載の表示パネル。
【請求項５】
前記切断スイッチは、前記複数のデータ線の垂直方向で同一となる箇所に設けてある請求項１乃至請求項４のいずれか一つに記載の表示パネル。
【請求項６】
前記切断スイッチは、垂直方向の複数の同一箇所にそれぞれ設けてある請求項５に記載の表示パネル。
【請求項７】
前記切断スイッチは、垂直方向の同一箇所で連動して複数のデータ線を切断するようにしてある請求項５又は請求項６に記載の表示パネル。
【請求項８】
請求項１乃至請求項７のいずれか一つに記載の表示パネルと、
前記切断スイッチの切断に対する切替の制御を行う切替制御手段と
を備えることを特徴とする表示装置。
【請求項９】
前記切替制御手段の制御に応じて全パネル領域又は分割されたパネル領域へ走査信号を供給するゲートドライブ回路と、
前記切替制御手段の制御に応じて全パネル領域又は分割されたパネル領域へデータ信号を供給するデータドライブ回路と、
前記切替制御手段の制御に応じて前記ゲートドライブ回路及びデータドライブ回路にクロック信号を供給する信号制御部と
を備える請求項８に記載の表示装置。
【発明の詳細な説明】
【技術分野】
【０００１】
本発明は、画面全体での映像表示と、全画面を区分けした領域ごとの映像表示が切替可能であると共に、区分けする領域の大きさを自由に変更可能にした表示パネル、及び表示装置に関する。
【背景技術】
【０００２】
従来、複数の表示装置を組み合わせたマルチディスプレイ装置が存在し、このマルチディスプレイ装置は一つの映像の表示と、複数映像の表示を行えるようにしている（特許文献１、２参照）。一方、一つの表示パネルに複数の映像を表示可能にした表示装置が存在する。例えば、特許文献３では二つのソースドライブに対応させて一つの表示パネルを水平方向で二分割し、分割した領域ごとに別々の映像を同時に表示できるようにしている。
【特許文献１】特開２００４−２２６５１３号公報
【特許文献２】特開２００１−２４２４３５号公報
【特許文献３】特開平９−６２２３０号公報
【発明の開示】
【発明が解決しようとする課題】
【０００３】
昨今は、表示装置に用いられる表示パネルの画面サイズの大型化が進行すると共に、高画質ハイビジョン放送（HDTV）の開始等に伴い画面解像度も向上している。そのため、一つの表示パネルに複数映像を表示することは、画面サイズ及び解像度の点において実質的に充分対応可能になっている。このように複数映像が充分に表示可能な一つの表示パネルの構造と、上述した特許文献１、２等で示される複数の表示装置を組み合わせたマルチディスプレイ装置とを比較すると、マルチディスプレイ装置の方が構造的には複雑になると共に、映像の表示に対する明るさ制御、マルチ画面のつなぎ目処理等に対する処理が煩雑になると云う問題がある。
【０００４】
また、特許文献３の表示装置は、一つの表示パネルで左右に二つの映像を表示可能にしているが、単に一つの表示パネルを水平方向に二分割して表示する構成に留まるため、表示パネルを一つの画面領域として用いることと、一つの画面領域を分割した二つの画面領域として用いることを適宜切り替えられないと云う問題がある。さらに、特許文献３の表示装置は、一つの表示パネルを二つの画面領域として用いる場合でも、画面領域ごとに異なるリフレッシュレートで映像を表示できないと云う問題がある。さらにまた、特許文献３の表示装置は、表示パネルを分割する際の境界位置が固定であるため、表示する映像の解像度に応じて分割領域の大きさを変更できないと云う問題がある。
【０００５】
本発明は、斯かる問題に鑑みてなされたものであり、一つの表示パネルを全画面的に使用する場合と、区分けした複数領域で用いる場合とを自由に切り替えられる表示パネル及び表示装置を提供することを目的とする。
また、本発明は、区分けした複数領域の大きさを自由に変更できる表示パネル及び表示装置を提供することを目的とする。
【課題を解決するための手段】
【０００６】
上記課題を解決するために本発明に係る表示パネルは、水平方向及び垂直方向に配列した複数の画素を、水平方向に伸長する複数のゲート線及び垂直方向に伸長する複数のデータ線で接続した表示パネルにおいて、全パネル領域を複数のパネル領域に分割するように各画素の接続を切断する切断スイッチを備えることを特徴とする。
【０００７】
本発明にあっては、各画素の接続を切断できる切断スイッチを設けたので、切断スイッチを作動させない場合は、一つの表示パネルを全画面的な表示用に使用可能となり、切断スイッチで各画素の接続を切断した場合は、一つの表示パネルを複数に分割して複数映像の表示用に使用可能になり、表示する映像の解像度及びサイズ等に応じて全画面表示と、分割画面表示を自由に切り替えられる。なお、本発明は、画素を配列した表示パネルを対象とし、具体的には液晶製の表示パネル、有機ＥＬ（Electro Luminescence）製の表示パネル等に適用可能となる。
【０００８】
また、本発明に係る表示パネルは、前記切断スイッチが、前記複数のゲート線の水平方向で同一となる箇所にそれぞれ設けてあることを特徴とする。
本発明にあっては、表示パネルの水平方向に伸長する複数のゲート線の水平方向における同一箇所に切断スイッチを設けるので、切断スイッチを設けた箇所がパネル領域を分割する際の境界になり、その境界で一つの表示パネルを左右のパネル領域に分割し、複数の映像を表示できる。特に本発明は、全パネル領域を左右に分割するので縦長の映像を複数表示する場合に好適となる。
【０００９】
さらに、本発明に係る表示パネルは、前記切断スイッチが、水平方向の複数の同一箇所にそれぞれ設けてあることを特徴とする。
本発明にあっては、各ゲート線の水平方向で複数の同一箇所のそれぞれに切断スイッチを設けるので、切断する箇所の切断スイッチを切り替えることでパネル領域を分割する境界が移動するようになり、それに伴い左右に分割するパネル領域の大きさも、表示する映像の解像度に応じて変更可能になる。
【００１０】
さらにまた、本発明に係る表示パネルは、前記切断スイッチが、水平方向の同一箇所で連動して複数のゲート線を切断するようにしてあることを特徴とする。
本発明にあっては、複数のゲート線を連動して切断するので、パネル領域の左右分割処理を効率良く行って、左右に分割したパネル領域をスムーズに形成できる。
【００１１】
また、本発明に係る表示パネルは、前記切断スイッチが、前記複数のデータ線の垂直方向で同一となる箇所に設けてあることを特徴とする。
本発明にあっては、表示パネルの垂直方向に伸長する複数のデータ線の垂直方向における同一箇所に切断スイッチを設けるので、切断スイッチを設けた箇所がパネル領域を上下に分割する際の境界になり、上下に分割した各パネル領域に複数の映像を表示できる。特に、本発明は、全パネル領域を上下に分割するので横長の映像を複数表示する場合に好適となる。また、データ線及びゲート線の両方に切断スイッチを設けた場合で各切断スイッチを切断側に切り替えると、垂直方向及び水平方向の境界を設けて、より多くのパネル領域を形成するように表示パネルを分割できる。
【００１２】
さらに、本発明に係る表示パネルは、前記切断スイッチは、垂直方向の複数の同一箇所にそれぞれ設けてあることを特徴とする。
本発明にあっては、各データ線の垂直方向で複数の同一箇所のそれぞれに切断スイッチを設けるので、切断する箇所の切断スイッチを切り替えることでパネル領域を分割する境界が移動し、それに伴い上下に分割するパネル領域の大きさも、表示する映像の解像度に応じて変更できる。
【００１３】
さらにまた、本発明に係る表示パネルは、前記切断スイッチは、垂直方向の同一箇所で連動して複数のデータ線を切断するようにしてあることを特徴とする。
本発明にあっては、複数のデータ線を連動して切断するので、パネル領域を上下に分割する処理を効率良く行える。
【００１４】
本発明に係る表示装置は、前記表示パネルと、前記切断スイッチの切断に対する切替の制御を行う切替制御手段とを備えることを特徴とする。
【００１５】
本発明にあっては、上述した表示パネルに設けられた切断スイッチの切替制御を行う切替制御手段を備えるので、表示パネルを複数のパネル領域に分割して映像表示を行うこと又は、表示パネルで全画面表示を行うことをスムーズに切り替えられるようになる。
【００１６】
また、本発明に係る表示装置は、前記切替制御手段の制御に応じて全パネル領域又は分割されたパネル領域へ走査信号を供給するゲートドライブ回路と、前記切替制御手段の制御に応じて全パネル領域又は分割されたパネル領域へデータ信号を供給するデータドライブ回路と、前記切替制御手段の制御に応じて前記ゲートドライブ回路及びデータドライブ回路にクロック信号を供給する信号制御部とを備えることを特徴とする。
【００１７】
本発明にあっては、表示パネルの状態（全画面的に使用する状態、又は分割されたパネル領域で使用する状態。以下同様）に応じて各信号（走査信号、データ信号、クロック信号）を供給するゲートドライブ回路、データドライブ回路、及び信号制御部を備えるので、表示パネルがいずれの状態であっても、映像のサイズ、解像度、及びリフレッシュレート等に合った良好な画質で映像の表示を行えるようになる。
【００１８】
例えば、表示パネルを左右のパネル領域に分割した場合、信号制御部は左右のパネル領域のそれぞれに表示される映像に応じたリフレッシュレートのクロック信号を供給し、ゲートドライブ回路は左右のパネル領域のそれぞれに表示される映像に応じた走査信号をクロック信号に応じた時期に供給し、データドライブ回路は、左右のパネル領域のそれぞれに表示される映像用のデータ信号をクロック信号に応じた時期に供給し、各パネル領域での映像にちらつき等の不具合の発生を防止することになる。
【００１９】
また、表示パネルを上下のパネル領域に分割した場合、信号制御部は上下のパネル領域のそれぞれに表示される映像に応じたリフレッシュレートのクロック信号を供給し、ゲートドライブ回路は上下のパネル領域のそれぞれに表示される映像に応じた走査信号をクロック信号に応じた時期に供給し、データドライブ回路は、上下のパネル領域のそれぞれに表示される映像用のデータ信号をクロック信号に応じた時期に供給し、各パネル領域での映像にちらつき等の不具合の発生を防止することになる。
【００２０】
本発明の表示装置には、各パネル領域に表示する映像（映像信号）をスムーズに取得できるようにするため、映像信号の入力を受け付ける複数の入力受付部を備えることが好ましい。また、この場合、各入力受付部を通じて各パネル領域で表示可能な解像度を出力する手段を設けることが、各パネル領域で適切に映像を表示するために好適である。さらにまた、全画面的な表示を良好に行うためには、入力受付部を通じて、表示パネルで表示可能な最大解像度を出力する手段を設けてもよい。なお、本発明の表示装置は、テレビジョン装置、コンピュータ用のディスプレイ装置、画素パネルを用いたプロジェクタ（フロントプロジェクション方式とリアプロジェクション方式の両方を含む）等が該当する。
【発明の効果】
【００２１】
本発明にあっては、各画素の接続を切断できる切断スイッチを設けたので、切断スイッチの作動に応じて一つの表示パネルを全画面的に表示することと、一つの表示パネルを複数に分割して複数映像を表示することを自由に切り替えられる。
【００２２】
本発明にあっては、複数のゲート線の水平方向における同一箇所に切断スイッチを設けるので、切断スイッチを境界にして一つの表示パネルを左右のパネル領域に分割でき、縦長の複数の映像を良好に表示できる。
また、本発明にあっては、水平方向における複数の同一箇所のそれぞれに切断スイッチを設けるので、左右に分割するパネル領域の大きさを自由に変更できる。
さらに、本発明にあっては、同一箇所で連動してゲート線を切断するので、パネル領域の効率的な分割処理を実現できる。
【００２３】
本発明にあっては、垂直方向に伸長する複数のデータ線の垂直方向における同一箇所に切断スイッチを設けるので、切断スイッチを境界にして一つの表示パネルを上下に分割でき、複数の横長映像を良好に表示できる。
また、本発明にあっては、垂直方向における複数の同一箇所のそれぞれに切断スイッチを設けるので、上下に分割するパネル領域の大きさを自由に変更できる。
さらに、本発明にあっては、同一箇所で連動してデータ線を切断するので、全パネル領域を上下に分割する処理を効率的に行える。
【００２４】
本発明にあっては、表示パネルに設けられた切断スイッチの切替制御を行う切替制御手段を備えるので、表示パネルの分割状態と、全画面状態とをスムーズに切り替えられる。
また、本発明にあっては、表示パネルの状態に応じて各信号をそれぞれ供給するゲートドライブ回路、データドライブ回路、及び信号制御部を備えるので、映像の仕様に応じた良好な表示処理を行える。
【発明を実施するための最良の形態】
【００２５】
図１は、本発明の第１実施形態に係る表示装置１の外観を示している。第１実施形態の表示装置１は、いわゆる薄型テレビジョン装置に該当し、筐体１ａの前面１ｂに本発明の液晶製の表示パネル１１を配置して、図４（ａ）（ｂ）に示す二つの映像表示と、図５に示す一つの映像表示を自由に切り替えられるようにしたことが特徴である。
【００２６】
図２は表示装置１の内部構成を示し、図３は表示装置１に使用される表示パネル１１の構成を概略的に示したものである。表示パネル１１は、水平方向（図中のＸ方向）及び垂直方向（図中のＹ方向）に多数の画素１２を格子状に配列すると共に、各画素１２をＸ方向に伸長する複数のゲート線Ｇ（アドレス線）、及びＹ方向に伸長する複数のデータ線Ｄ（ソース線）で接続している。
【００２７】
第１実施形態の表示パネル１１は、Ｘ方向に１９２０個、Ｙ方向に１２００個の画素１２を配置して、Ｗ−ＵＸＧＡ（Wide Ultra eXtended Graphics Array）の解像度を有している（図４（ａ）（ｂ）参照）。また、表示パネル１１は、Ｘ方向においてＸ＝９５９に位置する画素１２と、Ｘ＝９６０に位置する画素１２との間の箇所で全パネル領域を左右二つのパネル領域１１Ａ、１１Ｂへ分割するように、スイッチユニット１３を全ゲート線Ｇに設けている。
【００２８】
スイッチユニット１３は、各画素１２を水平方向に接続する各ゲート線Ｇを切断する複数の切断スイッチ１４を有すると共に、連動切替部１５を設けて各切断スイッチ１４の切断作動の切替を連動して行える構成にしている。スイッチユニット１３は通常、各切断スイッチ１４を接続状態にしており、スイッチユニット１３に設けられた信号端子部１３ａで切断指示信号を受け付けると、各切断スイッチ１４を切断側へ切り替える作動を行う（図３は切断側へ切り替えられた状態を示す）。
【００２９】
スイッチユニット１３の各切断スイッチ１４が接続状態の場合、表示パネル１１は一枚のパネル画面として機能し、全パネル領域に一つの映像を全画面的に表示することが可能になる（図５参照）。一方、スイッチユニット１３の各切断スイッチ１４が切断状態の場合、各ゲート線Ｇのスイッチユニット１３を設けた箇所を境界として全パネル領域が左右に分割され、左側の左パネル領域１１Ａと、右側の右パネル領域１１Ｂとを形成して左右二つの映像を表示可能にする（図４（ａ）（ｂ）参照）。なお、スイッチユニット１３の各切断スイッチ１４は、連動して切替制御が電気的なスイッチング素子（パワー素子）を用いることが好ましい。
【００３０】
次に、上述した表示パネル１１に接続される図２に示す各回路２、４、５等の説明を行う。表示装置１は、表示パネル１１へデータ信号を供給するデータドライブ回路２、表示パネル１１へ映像を書き替えるための走査信号（順次走査信号）を供給する第１及び第２ゲートドライブ回路４、５を具備し、さらにデータドライブ回路２及び各ゲートドライブ回路４、５へ各種信号を供給する信号制御部６を有する。また、表示装置１は、映像信号の切替を行う切替部７、放送番組の受信を行うチューナ８、外部の映像出力機器（例えば、ＨＤＤレコーダ、ＤＶＤプレーヤ等）を接続する第１及び第２インタフェース９Ａ、９Ｂ、装置全体の制御を行うＣＰＵ１０を有する。
【００３１】
データドライブ回路２は、表示パネル１１の左パネル領域１１Ａにデータ信号を供給する第１回路部２ａ、及び右パネル領域１１Ｂにデータ信号を供給する第２回路部２ｂを具備し、さらに表示パネル１１のスイッチユニット１３の信号端子部１３ａへ切断指示信号を出力可能な切替制御部２ｃを有する。切替制御部２ｃは、ＣＰＵ１０（切替制御手段に相当）の切断切替に係る制御に基づきスイッチユニット１３へ切断指示信号を出力する。
【００３２】
データドライブ回路２の第１回路部２ａ及び第２回路部２ｂは、ＣＰＵ１０の制御に基づき信号制御部６から送られる各種信号による制御に基づいてデータ信号の供給に係る処理を行う。即ち、表示パネル１１が１つのパネル領域として表示を行う場合、両回路部２ａ、２ｂは一つの回路部としてデータ信号の供給を行う一方、表示パネル１１が左右パネル領域１１Ａ、１１Ｂに分かれる場合、各回路部２ａ、２ｂは別々の独立した回路部としてデータ信号の供給を行っている。各回路部２ａ、２ｂは、データ信号の供給開始、供給間隔の時期（タイミング）を、信号制御部６から送られるＸ方向用の制御信号及びクロック信号に基づき特定している。
【００３３】
なお、第１及び第２回路部２ａ、２ｂが別々の独立した回路部として機能する場合、データドライブ回路部２は、信号制御部６から左パネル領域１１Ａ用のデータ信号、制御信号、及びクロック信号を受け付けると共に、右パネル領域１１Ｂ用のデータ信号、制御信号、及びクロック信号を受け付ける。そのため、左右パネル領域１１Ａ、１１Ｂで表示される映像のリフレッシュレートが異なる場合でも、本発明の表示装置１は、各映像のリフレッシュレートに応じたデータ信号の供給を行える仕様になっている。
【００３４】
第１ゲートドライブ回路４は、表示パネル１１のスイッチユニット１３の作動状況に関係なく、映像表示を行う場合は常に作動しており、表示する映像のフレーム書き替え用の走査信号を生成して表示パネル１１へ供給（出力）する処理を行う。第１ゲートドライブ回路４は、走査信号の出力開始、出力間隔の時期（タイミング）を、ＣＰＵ１０の制御に基づき信号制御部６から送られるＹ方向用の制御信号及びクロック信号に基づき特定している。なお、表示パネル１１が１つのパネル領域として表示を行う場合、第１ゲートドライブ回路４は、表示パネル１１の全パネル領域に対する走査信号の供給を行う一方、表示パネル１１が左右パネル領域１１Ａ、１１Ｂに分かれる場合、第１ゲートドライブ回路４は左パネル領域１１Ａのみに走査信号を供給することになる。
【００３５】
第２ゲートドライブ回路５は、表示パネル１１のスイッチユニット１３の各切断スイッチ１４が切断状況の場合に作動し、表示パネル１１の右パネル領域１１Ｂ用の走査信号を生成して供給（出力）する処理を行う。即ち、第２ゲートドライブ回路５は、信号制御部６から送られる制御信号に含まれる作動指示を受けると、作動を開始し、作動指示が途絶えると作動を停止するようになっており、信号制御部６からの制御信号及びクロック信号に基づいて走査信号の出力開始、出力間隔の時期（タイミング）を特定する。
【００３６】
このように表示パネル１１が左右パネル領域１１Ａ、１１Ｂに分割される場合、各ゲートドライブ回路４、５が、左右パネル領域１１Ａ、１１Ｂごとに専用の処理を行うので、本発明の表示装置１は、各パネル領域１１Ａ、１１Ｂで表示される映像に応じたリフレッシュレートで映像フレームの書き替えを行える仕様になっている。
【００３７】
また、信号制御部６は、第１内部回路６ａ及び第２内部回路６ｂを含んでおり、ＣＰＵ１０の制御に基づき表示パネル１１の非分割、分割に応じて処理内容を切り替える。具体的には、表示パネル１１が１つのパネル領域として表示を行う場合、信号制御部６は、第１内部回路６ａ及び第２内部回路６ｂが一つになって表示パネル１１の全パネル領域用の信号制御を行い、データドライブ回路２へ、表示パネル１１で表示する映像に係るデータ信号を供給すると共に、その映像に応じたＸ方向用のクロック信号及び制御信号を供給し、第１ゲートドライブ回路４に、表示パネル１１で表示する映像に係るリフレッシュレートに対応したＹ方向用のクロック信号及び制御信号を供給する。
【００３８】
一方、表示パネル１１が左右パネル領域１１Ａ、１１Ｂに分かれる場合、信号制御部６は、ＣＰＵ１０の制御に基づきデータドライブ回路２の切替制御部２ｃへ切断指示信号を出力する制御指示を出す。さらに信号制御部６の第１及び第２内部回路６ａ、６ｂはそれぞれ独立して処理を行い、第１内部回路６ａはデータドライブ回路２の第１回路部２ａに対して左パネル領域１１Ａで表示する映像に係るデータ信号を供給すると共に、その映像に応じたＸ方向用のクロック信号及び制御信号を供給し、第１ゲートドライブ回路４に、左パネル領域１１Ａで表示する映像に係るリフレッシュレートに対応したＹ方向用のクロック信号及び制御信号を供給する。また、第２内部回路６ｂは、データドライブ回路２の第２回路部２ｂに対して右パネル領域１１Ｂで表示する映像に係るデータ信号を供給すると共に、その映像に応じたＸ方向用のクロック信号及び制御信号を供給し、第２ゲートドライブ回路５に、右パネル領域１１Ｂで表示する映像に係るリフレッシュレートに対応したＹ方向用のクロック信号及び作動指示を含む制御信号を供給する。
【００３９】
切替部７は、チューナ８、第１インタフェース１９Ａ、第２インタフェース１９Ｂと接続されており、ＣＰＵ１０の制御に基づいてチューナ８、第１インタフェース１９Ａ、第２インタフェース１９Ｂから一つ又は二つの映像信号を受け付けて、信号制御部６へ送る処理を行う。二つの映像信号を受け付けた場合、切替部７は表示パネル１１の左右パネル領域１１Ａ、１１Ｂのいずれの領域用の映像信号であるかを指定して信号制御部６へ映像信号を送っている。
【００４０】
また、第１インタフェース９Ａは、外部の映像出力装置（第１実施形態ではＨＤＤレコーダ）が接続される接続端子（入力受付部）に相当し、双方向で信号を送受できる規格（例えば、DVI(Digital Visual Interface)、HDMI(High
Definition Multimedia Interface)等）に対応している。そのため、第１インタフェース９Ａは、ＨＤＤレコーダが出力する映像信号の入力を受け付けることに加えて、ＣＰＵ１０から第１インタフェース９Ａを通じてＨＤＤレコーダへ各種情報及び信号等を出力することも可能にすると共に、ＨＤＤレコーダから送られる各種情報及び信号等をＣＰＵ１０へ伝える処理も行う。また、第２インタフェース９Ｂは、上述した第１インタフェース９Ａと同等の構成であり、上記とは別の外部の映像出力装置（第１実施形態ではＤＶＤプレーヤが該当）を接続している。
【００４１】
ＣＰＵ１０は、表示パネル１１を一つのパネル領域として全画面的に映像を表示するための制御と、各パネル領域１１Ａ、１１Ｂごとに別々の映像を表示するための制御等を行うものであり、ユーザからの各種操作指示を受け付ける操作部１０ａが接続されている。先ず、ＣＰＵ１０は、操作部１０ａでチューナ８、第１インタフェース９Ａ、第２インタフェース９Ｂのいずれの映像を表示させる指示を受け付けたかを判断し、受け付けた指示内容に基づいて、指示された映像を表示するための制御を行う。
【００４２】
例えば、操作部１０ａでチューナ８、第１インタフェース９Ａ、第２インタフェース９Ｂの中からいずれか一つの映像信号を表示する指示を受け付けた場合、ＣＰＵ１０は、指示対象の映像信号を受け取れるように切替部７の切替制御を行う。この場合、映像信号の取得先が、第１インタフェース９Ａ又は第２インタフェース９Ｂのいずれかである場合、ＣＰＵ１０は、各インタフェース９Ａ、９Ｂのいずれかを通じて、表示パネル１１の最大解像度（第１実施形態では１９２０×１２００）を出力する制御処理を行う。このような解像度を出力する制御を行うことで、外部のＨＤＤレコーダ又はＤＶＤプレーヤは、表示装置１で良好に表示できる解像度の数値を予め把握でき、出力する映像の解像度を調整できる場合は、解像度を把握した数値に調整して映像信号を出力することが可能となる。なお、外部のＨＤＤレコーダ、ＤＶＤプレーヤ、及び内部のチューナ７が出力する映像信号には、その映像信号が規定する解像度及びリフレッシュレートを通知するソース情報も出力する仕様になっているものとする。
【００４３】
それから、ＣＰＵ１０は、選択された映像信号のソース情報に合致したＸ方向用とＹ方向用のクロック信号及び制御信号を生成する指示を信号制御部６へ送る。このようなＣＰＵ１０の制御により、例えば、図５に示すＵＸＧＡサイズ（１６００×１２００）の映像Ｅ３を表示パネル１１に全画面的に表示することが可能になる。
【００４４】
また、操作部１０ａでチューナ８、第１インタフェース９Ａ、第２インタフェース９Ｂの中からいずれか二つの映像信号を表示する指示を受け付けた場合、ＣＰＵ１０は、指示対象の映像信号を受け取れるように切替部７の切替制御を行う。この場合も、映像信号の取得先が、第１インタフェース９Ａ又は第２インタフェース９Ｂのいずれかである場合、ＣＰＵ１０は、各インタフェース９Ａ、９Ｂのいずれかを通じて、表示パネル１１の左右領域１１Ａ、１１Ｂで表示可能な解像度（第１実施形態では９６０×１２００）を出力する制御処理を行う。さらに、ＣＰＵ１０は信号制御部６を通じてデータドライブ回路２の切替制御部２ｃへ切断指示信号を出力する指示を出すと共に、第２ゲートドライブ回路５の作動を開始させる作動指示を、信号制御部６を通じて第２ゲートドライブ回路５へ送る制御を行う。このようなＣＰＵ１０の制御により、表示パネル１１は左右パネル領域１１Ａ、１１Ｂに分割されて、各パネル領域１１Ａ、１１Ｂで別個独立して映像を表示できる状態になる。
【００４５】
切替部７から信号制御部６へ二つの映像信号が送られると、信号制御部６で、左右パネル領域１１Ａ、１１Ｂのそれぞれで映像を表示するための各種信号がデータドライブ回路２の第１回路部２ａ及び第２回路部２ｂ、並びに第１ゲートドライブ回路４及び第２ゲートドライブ回路５へ送られる。その結果、例えば、図４（ａ）に示すように、表示パネル１１の左右パネル領域１１Ａ、１１Ｂに二つの映像（第１映像Ｅ１、第２映像Ｅ２）が、各映像Ｅ１、Ｅ２の解像度及びリフレッシュレートに応じて良好に表示される。
【００４６】
図４（ａ）の第１映像Ｅ１は、例えば、ＤＶＤプレーヤから出力される映像信号に基づいたものである。この映像信号の解像度がＳＶＧＡサイズ（８００×６００）、リフレッシュレートは８０Ｈｚである場合、ＣＰＵ１０の制御に基づいて、データドライブ回路２の第１回路部２ａはＳＶＧＡサイズのデータ信号を左パネル領域１１Ａに供給すると共に、第１ゲートドライブ回路４は８０Ｈｚのリフレッシュレートで走査信号を左パネル領域１１Ａに供給して映像フレームを書き替えている。
【００４７】
図４（ａ）の第２映像Ｅ２は、例えば、チューナ８から出力される映像信号に基づいたものである。この映像信号の解像度がＶＧＡサイズ（６４０×４８０）、リフレッシュレートが７０Ｈｚである場合、ＣＰＵ１０の制御に基づいて、データドライブ回路２の第２回路部２ｂはＶＧＡサイズのデータ信号を右パネル領域１１Ｂに供給すると共に、作動した第２ゲートドライブ回路５は７０Ｈｚのリフレッシュレートで走査信号を右パネル領域１１Ｂに供給して映像フレームを書き替える。このような処理により、表示装置１は、一つの表示パネル１１で、解像度及びリフレッシュレートが相異する二つの映像を忠実に同時表示することが可能になる。なお、図４（ａ）に示す二つの映像（第１映像Ｅ１、第２映像Ｅ２）の表示は一例であり、他の解像度の映像も勿論表示可能である。
【００４８】
また、図４（ｂ）は、右パネル領域１１Ｂの画素サイズ（Ｘ平方向の画素数９６０）を超えるＸＧＡサイズ（１２８０×７６８）の第２映像Ｅ２′（例えば、ＨＤＤレコーダの出力映像）を右パネル領域１１Ｂに表示した状態を示している。この場合、データドライブ回路２の第２回路部２ｂは、第２映像Ｅ２′の右パネル領域１１Ｂで対応できる範囲のデータ信号（水平方向の９６０画素分のデータ信号）を供給する。また、表示装置１は、操作部１０ａで第２映像Ｅ２′のＸ方向に対するスクロール操作を受け付けた場合、ＣＰＵ１０は操作部１０ａで受け付けたスクロール操作量だけデータ信号の範囲をシフトする制御指示を第２回路部２ｂに出すことで、第２回路部２ｂはＸ方向にシフトした範囲のデータ信号を供給して、図４（ｂ）では表示されない範囲をＸ方向にスクロール表示可能にしている。
【００４９】
なお、第１実施形態に係る表示装置１は、上述した形態に限定されるものではなく、種々の変形例が存在する。例えば、本発明の表示装置１は、テレビジョン装置ではなく、コンピュータ用のディスプレイ装置、又は画素を配列した表示パネルを有するプロジェクタに適用することも可能であり、このような場合は、切替部７にはチューナ８を省略して各インタフェース９Ａ、９Ｂを接続した構成にすることが一般的である。なお、外部の映像出力装置を接続するインタフェースの数は３個以上にしてもよい。
【００５０】
また、表示パネル１１の解像度を、上述したＷ−ＵＸＧＡ以外の解像度にすることも勿論可能であり、特に第１実施形態の表示パネル１１は、左右に全パネル領域を分割することから、いわゆる横長タイプ（例えば横と縦のアスペクト比が１６：９のタイプ）のものを適用することが好適である。さらに、表示パネル１１のスイッチユニット１３を設ける箇所（上記説明では、Ｘ＝９５９とＸ＝９６０の間）は自由に設定でき、全パネル領域を左右に均等分割する以外に、不均等に分割するようにスイッチユニット１３の箇所を設定してもよい。
【００５１】
さらにまた、表示パネル１１は液晶製以外にも、有機ＥＬ製にすることも可能である。また、表示する映像が一つである場合でも、表示対象となる映像の解像度が小さいときは、スイッチユニット１３の各切断スイッチ１４を切断側に作動させて、左右いずれか一方のパネル領域（例えば左パネル領域１１Ａ）に映像を表示してもよい。この場合、映像を表示しない側の各部（例えば、データドライブ回路２の第２回路部２ｂ、信号制御部６の第２内部回路６ｂ）の作動を停止して、表示装置１の消費電力を削減するような処理を行うことも可能であり、このような処理は、バックライトが不要な有機ＥＬ製の表示パネルを用いたときに、消費電力の削減量を大きくでき、好適である。
【００５２】
図６は、本発明の第２実施形態に係る表示装置２１の構成を示すブロック図である。第２実施形態の表示装置２１は、表示パネル３１を上パネル領域３１Ａと下パネル領域３１Ｂとに分割して、各パネル領域３１Ａ、３１Ｂに別個の映像を表示可能にしたことが特徴である。
【００５３】
図７は、第２実施形態の表示パネル３１の構成を概略的に示している。表示パネル３１は、第１実施形態と同様の解像度（Ｗ−ＵＸＧＡ）であり、多数の画素３２をＸ方向及びＹ方向に配列して、各画素３２をゲート線Ｇ及びデータ線Ｄで接続している。表示パネル３１が、第１実施形態と相異する点は、データ線Ｄにスイッチユニット３３を設けている点であり、具体的には、Ｙ＝５９９に位置する画素３２と、Ｙ＝６００に位置する画素３２との間の箇所で、全データ線Ｄにスイッチユニット３３を設けている。
【００５４】
なお、スイッチユニット３３の構成は基本的に第１実施形態と同様であり、スイッチユニット３３は、各データ線Ｄを切断する複数の切断スイッチ３４を、連動切替部３５で連動可能にし、信号端子部３３ａで切断指示信号を受け付けると、各切断スイッチ３４を切断側へ切り替わるようにしている（図７は切断状態を示す）。スイッチユニット３３の各切断スイッチ３４が接続状態の場合、表示パネル３１は一枚のパネル画面として機能し、各切断スイッチ３４が切断状態の場合、各データ線Ｄのスイッチユニット３３を設けた箇所を境界として全パネル領域が上下に分割されて、上パネル領域３１Ａ及び下パネル領域３１Ｂが形成される。
【００５５】
また、図６に示す表示装置１の第１データドライブ回路２２は、表示パネル３１のスイッチユニット３３の作動状況に関係なく、映像表示を行う場合は常に作動し、表示する映像に応じたデータ信号の供給処理を行う。具体的には、表示パネル３１が１つのパネル領域の場合、第１データドライブ回路２２は、表示パネル２１の全パネル領域に対してデータ信号の供給を行う一方、表示パネル３１が上下パネル領域３１Ａ、３１Ｂに分かれる場合、第データドライブ回路２２は上パネル領域３１Ａのみにデータ信号を供給する。
【００５６】
第２データドライブ回路２３は、第１実施形態の第２ゲートドライブ回路５と同様に、信号制御部２６からの制御信号に含まれる作動指示に基づき作動し、表示パネル３１の下パネル領域３１Ｂ用のデータ信号を供給する処理を行う。
【００５７】
また、ゲートドライブ回路２４は、第１実施形態のデータドライブ回路２と同等な内部構成になっており、表示パネル３１の上パネル領域３１Ａに走査信号を供給する第１回路部２４ａ、及び下パネル領域３１Ｂに走査信号を供給する第２回路部２４ｂを具備し、さらに表示パネル３１のスイッチユニット３３の信号端子部３３ａへ切断指示信号を出力可能な切替制御部２４ｃを有する。
【００５８】
ゲートドライブ回路２４の第１回路部２４ａ及び第２回路部２４ｂは、信号制御部２６から送られる各種信号による制御に基づいて、表示する映像のフレーム書き替え用の走査信号を生成して表示パネル１１へ供給（出力）する処理を行う。詳しくは、表示パネル３１が１つのパネル領域として表示を行う場合、両回路部２４ａ、２４ｂは一つの回路部として走査信号の供給を行う一方、表示パネル３１が上下パネル領域３１Ａ、３１Ｂに分かれる場合、各回路部２４ａ、２４ｂは独立した回路部として走査信号の供給を行う。
【００５９】
また、信号制御部２６は、基本的に第１実施形態と同様であり、第１内部回路２６ａ及び第２内部回路２６ｂを含み、表示パネル３１が１つのパネル領域として表示を行う場合、両内部回路２６ａ、２６ｂが一つになって表示パネル３１の全パネル領域用の信号制御を行う。具体的には、両内部回路２６ａは、第１データドライブ回路２２へ、表示する映像に係るデータ信号を供給すると共に、その映像に応じたＸ方向用のクロック信号及び制御信号を供給し、ゲートドライブ回路４に、表示する映像に係るリフレッシュレートに対応したＹ方向用のクロック信号及び制御信号を供給する。
【００６０】
一方、表示パネル３１が上下パネル領域３１Ａ、３１Ｂに分かれる場合、信号制御部２６は、ＣＰＵ３０の制御に基づきゲートドライブ回路２４の切替制御部２４ｃへ切断指示信号を出力する制御指示を出す。さらに信号制御部２６の第１及び第２内部回路２６ａ、２６ｂはそれぞれ独立して処理を行い、第１内部回路２６ａは第１データドライブ回路２２に対して上パネル領域３１Ａで表示する映像に係るデータ信号を供給すると共に、その映像に応じたＸ方向用のクロック信号及び制御信号を供給し、ゲートドライブ回路２４の第１回路部２４ａに、上パネル領域３１Ａで表示する映像に係るリフレッシュレートに対応したＹ方向用のクロック信号及び制御信号を供給する。また、第２内部回路２６ｂは、第２データドライブ回路２３に対して下パネル領域３１Ｂで表示する映像に係るデータ信号を供給すると共に、その映像に応じたＸ方向用のクロック信号及び作動指示を含む制御信号を供給し、ゲートドライブ回路２４の第２回路部２４ｂに、下パネル領域３１Ｂで表示する映像に係るリフレッシュレートに対応したＹ方向用のクロック信号及び制御信号を供給する。
【００６１】
また、第２実施形態の表示装置２１における切替部２７、チューナ２８、第１インタフェース２９Ａ、第２インタフェース２９Ｂ、ＣＰＵ３０、及び操作部３０ａは第１実施形態と同等である。さらに、第２実施形態の表示装置２１は、上述した以外は第１実施形態と同等の構成及び処理になっている。そのため、第２実施形態でも、全画面的な表示と、上下パネル領域３１Ａ、３１Ｂで別個独立の表示を、スイッチユニット３３の各切断スイッチ３４の作動により切り替えることができ、特に上下パネル領域３１Ａ、３１Ｂで映像を表示しても、その映像に応じた解像度及びリフレッシュレートで良好な画質の映像をそれぞれ表示できる。なお、第２実施形態の表示装置２１は、横長の映像を二つ表示する場合に好適となる。また、第２実施形態においても、第１実施形態で述べた各種変形例の適用が可能である。
【００６２】
図８は、本発明の第３実施形態に係る表示装置４１の構成を示すブロック図である。第３実施形態の表示装置４１は、表示パネル５１を左上パネル領域５１Ａ、右上パネル領域５１Ｂ、左下パネル領域５１Ｃ、及び右下パネル領域５１Ｄと四分割して、各パネル領域５１Ａ〜５１Ｄに別個の映像を表示可能にしたことが特徴である。
【００６３】
図９は、第３実施形態の表示パネル５１の構成を概略的に示したものである。表示パネル５１は、図３に示す第１実施形態の表示パネル１１と、図７に示す第２実施形態の表示パネル３１とを組み合わせたような形態になっている。即ち、表示パネル５１は、Ｘ方向においてＸ＝９５９に位置する画素５２と、Ｘ＝９６０に位置する画素５２との間の箇所で、全ゲート線Ｇに左右分割用スイッチユニット５３を設ける共に、Ｙ＝５９９に位置する画素５２と、Ｙ＝６００に位置する画素５２との間の箇所で、全データ線Ｄに上下分割用スイッチユニット５６を設けている。なお、表示装置５１では、できるだけ解像度の大きい画素パネル（できればＱＸＧＡ以上）を用いることが、様々な解像度の映像を良好に表示する点で好適である。
【００６４】
各スイッチユニット５３、５６の構成は、第１実施形態及び第２実施形態のスイッチユニット１３、３３と同等である。即ち、各スイッチユニット５３、５６は、複数の切断スイッチ５４、５７を、連動切替部５５、５８で連動可能にし、信号端子部５３ａ、５６ａで切断指示信号を受け付けると、各切断スイッチ５４、５７を切断側へ切り替わるようにしている（図９は、各切断スイッチ５４、５７の切断状態を示す）。両スイッチユニット５３、５６の各切断スイッチ５４、５７が接続状態の場合、表示パネル５１は一枚のパネル画面として機能する。また、左右分割用スイッチユニット５３の各切断スイッチ５４のみ切断状態の場合、表示パネル５１は左右に分割され、上下分割用スイッチユニット５６の各切断スイッチ５７のみ切断状態の場合、表示パネル５１は上下に分割される。さらに、両スイッチユニット５３、５６の各切断スイッチ５４、５７が切断状態の場合、表示パネル５１は四分割される。
【００６５】
また、表示装置１の第１データドライブ回路４２は、第１実施形態のデータドライブ回路２と同等の構成になっており、第１回路部４２ａ及び第２回路部４２ｂを有すると共に、左右分割用スイッチユニット５３の信号端子部５３ａへ切断指示信号を出力可能な切替制御部４２ｃを有する。第２データドライブ回路４３は、第１データドライブ回路４２と同等に第１回路部４３ａ及び第２回路部４３ｂを有するが、切替制御部は省略した構成になっている。なお、第２データドライブ回路４３は、表示パネル５１が上下に分割された場合に作動する。
【００６６】
また、第１ゲートドライブ回路４４は、第２実施形態のゲートドライブ回路２４と同等の構成になっており、第１回路部４４ａ及び第２回路部４４ｂを有すると共に、上下分割用スイッチユニット５６の信号端子部５６ａへ切断指示信号を出力可能な切替制御部４４ｃを有する。第２ゲートドライブ回路４５は、第１ゲートドライブ回路４４と同様に第１回路部４５ａ及び第２回路部４５ｂを有するが、切替制御部は省略している。なお、第２ゲートドライブ回路４５は、表示パネル５１が左右に分割された場合に作動する。
【００６７】
また、信号制御部４６は、第１内部回路４６ａ、第２内部回路４６ｂ、第３内部回路４６ｃ、及び第４内部回路４６ｄを含んでおり、第１実施形態の信号制御部６及び第２実施形態の信号制御部２６を組み合わせたような処理を行う。基本的に、第１内部回路４６ａは、表示パネル３１の左上パネル領域５１Ａに対する表示処理が割り当てられており、以下、第２内部回路４６ｂは右上パネル領域５１Ｂ、第３内部回路４６ｃは左下パネル領域５１Ｃ、第４内部回路４６ｄは右下パネル領域５１Ｄの表示処理がそれぞれ割り当てられている。
【００６８】
そのため、表示パネル３１が１つのパネル領域として表示を行う場合、全内部回路４６ａ〜４６ｄが一つの回路構成になって表示パネル５１の全パネル領域用の信号制御を行う。具体的には、全内部回路４６ａ〜４６ｄは、第１データドライブ回路４２へ、表示する映像に係るデータ信号を供給すると共に、その映像に応じたＸ方向用のクロック信号及び制御信号を供給し、第１ゲートドライブ回路４４へ、表示する映像に係るリフレッシュレートに対応したＹ方向用のクロック信号及び制御信号を供給する。
【００６９】
また、表示パネル５１が左右に分割される場合、信号制御部４６は第１実施形態の信号制御部６と同等の処理を行う。詳しくは、信号制御部４６の第１及び第３内部回路４６ａ、４６ｃが一つの回路構成になって、第１実施形態の第１内部回路６ａと同等の処理を行うと共に、第２及び第４内部回路４６ｂ、４６ｄが一つの回路構成になって、第１実施形態の第２内部回路６ｂと同等の処理を行う。
【００７０】
さらに、表示パネル５１が上下に分割される場合、信号制御部４６は第２実施形態の信号制御部２６と同等の処理を行う。詳しくは、信号制御部４６の第１及び第２内部回路４６ａ、４６ｂが一つの回路構成になって、第２実施形態の第１内部回路２６ａと同等の処理を行うと共に、第３及び第４内部回路４６ｃ、４６ｄが一つの回路構成になって、第１実施形態の第２内部回路２６ｂと同等の処理を行う。
【００７１】
さらにまた、表示パネル５１が上下左右に四分割される場合、信号制御部４６は、ＣＰＵ５０の制御に基づき第１データドライブ回路４２の切替制御部４２ｃ及び第１ゲートドライブ回路４４の切替制御部４４ｃへ切断指示信号用の制御指示を出す。また、各内部回路４６ａ〜４６ｄは独立して処理を行い、第１及び第２内部回路４６ａ、４６ｂは、第１データドライブ回路４２の第１回路部４２ａ及び第２回路部４２ｂに対して左上パネル領域５１Ａ及び右上パネル領域５１Ｂで表示する映像に係るデータ信号を供給すると共に、その映像に応じたＸ方向用のクロック信号及び制御信号を供給する。さらに、第１及び第２内部回路４６ａ、４６ｂは、第１ゲートドライブ回路４４の第１回路部４４ａ及び第２ゲートドライブ回路４５の第１回路部４５ａへ、左上パネル領域５１Ａ及び右上パネル領域５１Ｂで表示する映像に係るリフレッシュレートに対応したＹ方向用のクロック信号及び制御信号を供給する。
【００７２】
また、第３及び第４内部回路４６ｃ、４６ｄは、第２データドライブ回路４３の第１回路部４３ａ及び第２回路部４３ｂに対して左下パネル領域５１Ｃ及び右下パネル領域５１Ｄで表示する映像に係るデータ信号を供給すると共に、その映像に応じたＸ方向用のクロック信号及び制御信号を供給する。さらに、第３及び第４内部回路４６ｃ、４６ｄは、第１ゲートドライブ回路４４の第２回路部４４ｂ及び第２ゲートドライブ回路４５の第２回路部４５ｂへ、左下パネル領域５１Ｃ及び右下パネル領域５１Ｄで表示する映像に係るリフレッシュレートに対応したＹ方向用のクロック信号及び制御信号を供給する。
【００７３】
また、第３実施形態の表示装置４１における切替部４７、チューナ４８、第１インタフェース４９Ａ〜第４インタフェース４９Ｄは、基本的に第１実施形態と同等であり、切替部４７は、ＣＰＵ５０の制御に基づきチューナ４８、第１インタフェース４９Ａ〜第４インタフェース４９Ｄのそれぞれから供給される映像信号を、最小１つから最大同時に４つまで信号制御部４６に送るようにしている。
【００７４】
ＣＰＵ５０が行う処理は、第１実施形態及び第２実施形態における処理内容をそれぞれ単独で行うときと、両実施形態を組み合わせて行うときがある。具体的にＣＰＵ５０は、操作部５０ｃで、各ソース（チューナ４８、各インタフェース４９Ａ〜４９Ｄ）の中からいずれか一つの映像信号を全画面的に表示することが設定操作されたとき、設定されたソースからの映像信号を信号制御部４６へ送るように切替部４７を制御する。
【００７５】
また、操作部５０ｃで、表示パネル５１を左右に分割して、各ソース（チューナ４８、各インタフェース４９Ａ〜４９Ｄ）の中からいずれか二つの映像信号を表示することが設定操作されたとき、ＣＰＵ５０は第１実施形態と同等の処理を行う。さらに、操作部５０ｃで、表示パネル５１を上下に分割して、各ソース（チューナ４８、各インタフェース４９Ａ〜４９Ｄ）の中からいずれか二つの映像信号を表示することが設定操作されたとき、ＣＰＵ５０は、第２実施形態と同等の処理を行う。さらにまた、操作部５０ｃで、表示パネル５１を上下左右に分割して、各ソース（チューナ４８、各インタフェース４９Ａ〜４９Ｄ）の中からいずれか四つの映像信号を表示することが設定操作されたとき、ＣＰＵ５０は、設定された四つのソースからの映像信号を信号制御部４６へ送るように切替部４７を制御すると共に、両スイッチユニット５３、５６の信号端子部５３ａ、５６ａへ信号制御部４６を通じて切断指示を送る制御を行う。
【００７６】
なお、第３実施形態の表示装置４１は、上述した内容以外は第１実施形態及び第２実施形態と同等の構成及び処理になっている。そのため、第３実施形態の表示装置４１は、表示パネル５１で全画面的に映像を表示すること、上下左右のいずれに分割して映像を表示することが可能であり、分割表示の際でも、その映像に応じた解像度及びリフレッシュレートで良好な画質の映像を表示できる。また、第３実施形態においても、第１実施形態及び第２実施形態で述べた各種変形例の適用が可能である。
【００７７】
図１０（ａ）は、第３実施形態の変形例の表示装置４１′の要部を示している。変形例の表示装置４１′は、表示パネル５１′の左右分割スイッチユニット５３′を、上下分割スイッチユニット５６′で分割される上側のパネル領域のみに設けて、表示パネル５１′を三分割するようにしたことが特徴である。左上パネル領域５１Ａ′、右上パネル領域５１Ｂ′、及び下パネル領域５１Ｃ′に三分割される構成の表示パネル５１′に対応して、第１データドライブ回路４２′及び第１ゲートドライブ回路４４′は第１内部回路４２ａ′、４４ａ′、第２内部回路４２ｂ′、４４ｂ′、及び切替制御部４２ｃ′、４４ｃ′を有する。また、第２データドライブ回路４３′は、第２実施形態の第２データドライブ回路２３と同等の構成であり、下パネル領域５１Ｃ′に対応して設けられる。なお、第２ゲートドライブ回路４５′は、第１実施形態の第２ゲートドライブ回路５と構成的には同等であるが、右上パネル領域５１Ｂ′のみに対応して設けられている。
【００７８】
また、図１０（ｂ）は、第３実施形態の別の変形例の表示装置４１″における要部を示している。変形例の表示装置４１″は、表示パネル５１″の上下分割スイッチユニット５６″を、左右分割スイッチユニット５３″で分割される左側のパネル領域のみに設けて、表示パネル５１″を三分割するようにしたことが特徴である。左上パネル領域５１Ａ″、右パネル領域５１Ｂ″、及び左下パネル領域５１Ｃ″に三分割される構成の表示パネル５１″に対応して、第１データドライブ回路４２″及び第１ゲートドライブ回路４４″は第１内部回路４２ａ″、４４ａ″、第２内部回路４２ｂ″、４４ｂ″、及び切替制御部４２ｃ″、４４ｃ″を有する。また、第２データドライブ回路４３″は左下パネル領域５１Ｃ″に対応して設けられ、第２ゲートドライブ回路４５″は右パネル領域５１Ｂ″に対応して設けられている。
【００７９】
図１１は、本発明の第４実施形態に係る表示装置６０を示している。第４実施形態の表示装置６０は、基本的な構成を図２に示す第１実施形態の表示装置１と同等であるが、表示パネル６１を左右に分割する境界Ｋを左右に移動可能にしたことが特徴である。境界Ｋを可変にするため、表示パネル６１は左右分割用のスイッチユニット６３を複数設けると共に、データドライブ回路４５の構成を第１実施形態と相異させている。
【００８０】
図１２は、画素パネル６１（解像度はＷ−ＵＸＧＡ）の一部の詳細を示している。画素パネル６１は、格子状に配列された各画素６２間のＸ方向における複数の同一箇所において、各ゲート線Ｇにスイッチユニット６３を複数設けたことが特徴である。具体的には、表示パネル６１の左端範囲（Ｘ＝０〜３１９）及び右端範囲（Ｘ＝１６００〜１９１９）を除いた中間範囲（Ｘ＝３２０〜１５９９）の各画素６２の間にスイッチユニット６３を設けている。
【００８１】
各スイッチユニット６３の構成は第１実施形態と同様である。即ち、各スイッチユニット６３は、複数の切断スイッチ６４を、連動切替部６４ａで連動可能にし、信号端子部６３ａで切断指示信号を受け付けると、各切断スイッチ６４を切断側へ切り替わるようにしている。なお、図１２では、データ線Ｄｎとデータ線Ｄｎ＋１の間に位置するスイッチユニット６３の各切断スイッチ６４が切断状態になっており、他のスイッチユニット６３の各切断スイッチ６４は接続状態になっている。
【００８２】
また、図１１のデータドライブ回路６５は、表示パネル６１のＸ方向の画素分に対応してデータ信号を供給できる構成になっており、第１回路部６５ａ、第２回路部６５ｂ、及び切替制御部６５ｃを有する。第４実施形態の第１回路部６５ａ及び第２回路部６５ｂは表示パネル６１の分割範囲に応じて対応範囲を可変にしている。また、切替制御部６５ｃは複数のスイッチユニット６３の中から信号制御部６６を通じてＣＰＵ６０ａにより指定されたスイッチユニット６３の信号端子部６３ａへ切断指示信号を出力する。
【００８３】
ＣＰＵ６０ａは、データドライブ回路６５の切替制御部６５ｃが上述したような処理を行うために、操作部６０ｃの設定、又は第１インタフェース６９Ａ、第２インタフェース６９Ｂ、チューナ６０ｄからの映像信号に係るソース情報に基づいて、各映像を表示できるように分割箇所（境界Ｋの箇所）を特定する制御を行う。分割箇所を特定すると、ＣＰＵ６０ｃは、特定した分割箇所の指定を含む切断指示信号を、信号制御部６６を通じてデータドライブ回路６５の切替制御部６５ｃへ送る。なお、表示装置６０は、上述した箇所以外の他の箇所（切替部６０ｂ、チューナ６０ｄ、各インタフェース６９Ａ、６９Ｂ）は第１実施形態と同様である。
【００８４】
図１３は、ＸＧＡサイズの第１映像Ｅ４を表示パネル６１の左パネル領域６１Ａに表示すると共に、ＳＶＧＡサイズの第２映像Ｅ５を右パネル域６１Ｂに表示した状態を示している。このような表示を行うために、ＣＰＵ６０ａは、操作部６０ｃの設定、又は各インタフェース６９Ａ、６９Ｂ、チューナ６０ｄからのソース情報に基づき、データドライブ回路６５の各回路部６５ａ、６５ｃの対応範囲の境界をＸ方向の１０２３画素と１０２４画素の間に特定する制御を行うと共に、Ｘ方向の１０２３画素と１０２４画素の間に設けられたスイッチユニット６３へ切断指示信号を送り、各切断スイッチ６３ａを切断側に切り替える制御を行っている。
【００８５】
このように第４実施形態の表示装置６０は、ユーザの手動操作による設定、又は表示対象となる映像信号に含まれるソース情報による自動設定により、表示パネル６１の分割範囲を自由に変更できるため、様々なサイズ（解像度）の映像を良好に表示できる。なお、第４実施形態の表示装置６０においても、第１実施形態で述べた各種変形例の適用が可能である。
【００８６】
図１４は、本発明の第５実施形態に係る表示装置７０の要部を示している。第５実施形態の表示装置７０は丁度、第４実施形態の表示装置６０の表示パネル６１を９０度回転させたような構成にしており、表示パネル７１を上下に分割する境界ＫをＹ方向に沿って移動可能にしたことが特徴である。
【００８７】
図１５は、画素パネル７１（解像度はＵＸＧＡ）の一部の詳細を示している。画素パネル７１は、格子状に配列された各画素７２間のＹ方向における複数の同一箇所において、各データ線Ｄにスイッチユニット７３を複数設けたことが特徴である。具体的には、表示パネル７１の下端範囲（Ｙ＝０〜１９９）及び上端範囲（Ｙ＝１０００〜１１９９）を除いた中間範囲（Ｙ＝２００〜９９９）の各画素７２の間にスイッチユニット７３を設けている。なお、各スイッチユニット７３は上述の各実施形態と同様の構成であり、複数の切断スイッチ７４を、連動切替部７４ａで連動可能にし、信号端子部７３ａで切断指示信号を受け付けると、各切断スイッチ７４が切断側へ切り替わる。図１５では、ゲート線Ｇｎとゲート線Ｇｎ＋１の間に位置するスイッチユニット７３の各切断スイッチ７４のみが切断状態になっている。
【００８８】
また、図１４の第１及び第２データドライブ回路７５、７６は、第２実施形態の第１及び第２データドライブ回路２２、２３と同等である。ゲートドライブ回路７７は、第４実施形態の第１データドライブ回路６５と同等な構成になっており、第１内部回路７７ａ、第２内部回路７７ｂ、及び切替制御部７７ｃを有している。そのため、ＣＰＵ７０ａの制御に基づく切替制御部７７ｃの処理により、境界Ｋの位置を可変し、特定される位置に設けられたスイッチユニット７３の各切断スイッチ７４を切断側に切り替えて表示パネル７１を上パネル領域７１Ａ、下パネル領域７１Ｂに分割できる。
【００８９】
なお、第５実施形態では、他の箇所（切替部７０ｂ、チューナ７０ｄ、操作部７０ｃ、各インタフェース７９Ａ、７９Ｂ）及び処理等は、上述した各実施形態と同等であるため説明を省略する。また、第５実施形態の表示装置７０も、上述の各実施形態で述べた各種変形例の適用が可能である。
【００９０】
図１６は、本発明の第６実施形態に係る表示装置８０を示している。表示装置８０は丁度、第４実施形態の表示装置６０及び第５実施形態の表示装置７０を組み合わせたような構成になっており、表示パネル９１を左右に分割する縦境界Ｋａ、及び上下に分割する横境界Ｋｂの位置を可変にして、四分割される各パネル領域９１Ａ〜９１Ｄのサイズを自由に変更できるようにしたことが特徴である。
【００９１】
図１７は、表示パネル９１の要部を示している。表示パネル９１は、図１２に示す第４実施形態の表示パネル６１と同様に、各画素９２間のＸ方向における同一箇所において、各ゲート線Ｇｎ−２〜Ｇｎ＋２に左右分割用スイッチユニット９３を複数設けている。さらに、表示パネル９１は、図１７に示す第５実施形態の表示パネル７１と同様に、各画素９２間のＹ方向における同一箇所において、各データ線Ｄｎ−２〜Ｄｎ＋２に上下分割用スイッチユニット９６を複数設けている。
【００９２】
左右分割用スイッチユニット９３は、各切断スイッチ９４の切替を連動させる連動切替部９５を設けているが、この連動切替部９５にも、Ｘ方向で同一箇所に位置する各切断スイッチ９４の連動（オン）と、非連動（オフ）とを切り替えられるように連動切断スイッチ９５ａを設けている。同様に、上下分割用スイッチユニット９６も、各切断スイッチ９７の切替連動用の連動切替部９８に連動切断スイッチ９８ａを設けている。
【００９３】
左右分割用スイッチユニット９３に含まれる切断スイッチ９４及び連動切断スイッチ９５ａの切替は、矩形状の表示パネル９１の上側（長辺の一辺側）に位置する第１データドライブ回路８２及び下側（長辺の他辺側）に位置する第２データドライブ回路８３からそれぞれ出力される切替指示信号により行われる。また、上下分割用スイッチユニット９６に含まれる切断スイッチ９７及び連動切断スイッチ９８ａの切替は、表示パネル９１の左側（短辺の一辺側）に位置する第１ゲートドライブ回路８４及び右側（短辺の他辺側）に位置する第２ゲートドライブ回路８５からそれぞれ出力される切替指示信号により行われる。
【００９４】
なお、図１７は、ゲート線Ｇｎとゲート線Ｇｎ＋１の間の上下分割用スイッチユニット９６の切断スイッチ９７が全て連動された状態（連動切断スイッチ９８ａの全てがオン）で切断されて、上下分割用の境界Ｋｂが形成された状態を示す。また、図１７は、ゲート線Ｇｎとゲート線Ｇｎ＋１の間で且つデータＤｎからデータ線Ｄｎ＋２までの２個の連動切断スイッチ９５ａをオフ（非連動）にして、ゲート線Ｇｎより上側で且つデータ線Ｄｎとデータ線Ｄｎ＋１の間の切断スイッチ９４をオフにして、垂直境界Ｋａ１を形成した状態を示す。さらに図１７は、ゲート線Ｇｎ＋１より下側で且つデータ線Ｄｎ＋１とデータ線Ｄｎ＋２の間の切断スイッチ９４をオフにして垂直境界Ｋｂ２を形成した状態を示す。このような２本の垂直境界Ｋａ１、Ｋａ２及び１本の水平境界Ｋｂにより表示パネル９１には、計４個のパネル領域（９１Ａ〜９１Ｄ）が形成されている。
【００９５】
また、図１６に示す信号制御部８６から各種信号が送られる第１及び第２データドライブ回路８２、８３は、図１１に示す第４実施形態のデータドライブ回路６５と同等であり、第１回路部８２ａ、８３ａ、第２回路部８２ｂ、８３ｂ、及び切替制御部８２ｃ、８３ｃを有する。また、第１及び第２ゲートドライブ回路８４、８５は、図１６に示す第５実施形態のゲートドライブ回路７７と同等であり、第１回路部８４ａ、８５ａ、第２回路部８４ｂ、８５ｂ、及び切替制御部８４ｃ、８５ｃを有する。
【００９６】
また、信号制御部８６は、基本的には図８の第３実施形態における信号制御部４６と同等の構成になっており、分割される表示パネル９１の領域サイズに応じて各種信号をＣＰＵ９０の制御に基づき適切に各回路８２〜８５へ供給するようになっている。また、信号制御部８６は、表示パネル９１の分割においては、第４及び第５実施形態と同様にＣＰＵ９０の制御に基づき分割箇所の特定指示を含む切断指示信号を各回路８２〜８５へ出力している。表示装置８０のその他の箇所（切替部８７、チューナ８８、各インタフェース８９Ａ〜８９Ｄ、操作部９０ａ）は、図８に示す第３実施形態に係る表示装置４１と同等の構成になっており、また、制御処理的な内容については第４、５実施形態と同様にＣＰＵ９０の制御に基づき表示パネル９１の分割が行われる。
【００９７】
表示装置８０は、ＣＰＵ９０が各回路８２〜８５へ制御を行うことで、表示パネル９１の各パネル領域９１Ａ〜９１Ｄのサイズを様々に変更できる。例えば、図１８（ａ）に示すように、各パネル領域９１Ａ〜９１Ｄを分ける１本の垂直境界Ｋａ及び１本の水平境界Ｋｂで各パネル領域９１Ａ〜９１Ｄのサイズを可変にできる。また、図１８（ｂ）に示すように、連動切断スイッチ９５ａを適宜オフに切り替えることで、２本の垂直境界Ｋａ１、Ｋａ２及び１本の水平境界Ｋｂで各パネル領域９１Ａ〜９１Ｄのサイズを可変にでき、さらには、図１８（ｃ）に示すように、連動切断スイッチ９８ａを適宜オフに切り替えることで、１本の垂直境界Ｋａ及び２本の水平境界Ｋｂ１、Ｋｂ２で各パネル領域９１Ａ〜９１Ｄのサイズを可変にできる。
【００９８】
よって、第６実施形態の表示装置８０は、表示対象の映像サイズに応じて各パネル領域９１Ａ〜９１Ｄのサイズを柔軟に変更して、各画像の全範囲を表示することが可能になる。なお、第６実施形態においても、上述した各実施形態と同様な変形例の適用が可能である。また、表示パネル９１の各スイッチユニット９３、９６は、図１８（ａ）に示すように１本の垂直境界Ｋａ及び１本の水平境界Ｋｂのみで分割を行う場合は、各スイッチユニット９３、９６内の連動切断スイッチ９５ａ、９８ａを省略した構成にすることも可能である。
【図面の簡単な説明】
【００９９】
【図１】本発明の第１実施形態に係る表示装置の外観を示す概略図である。
【図２】第１実施形態の表示装置の内部構成を示すブロック図である。
【図３】第１実施形態の表示パネルの部分的な詳細を示す概略図である。
【図４】（ａ）は各パネル領域に収まる二つの映像を表示した状態を示す概略図、（ｂ）は表示された映像の一部が右パネル領域から外れた状態を示す概略図である。
【図５】一つの映像を表示した状態を示す概略図である。
【図６】本発明の第２実施形態に係る表示装置の内部構成を示すブロック図である。
【図７】第２実施形態の表示パネルの部分的な詳細を示す概略図である。
【図８】本発明の第３実施形態に係る表示装置の内部構成を示すブロック図である。
【図９】第３実施形態の表示パネルの部分的な詳細を示す概略図である。
【図１０】（ａ）は第３実施形態の変形例に係る表示装置の要部を示すブロック図、（ｂ）は別の変形例に係る表示装置の要部を示すブロック図である。
【図１１】本発明の第４実施形態に係る表示装置の内部構成を示すブロック図である。
【図１２】第４実施形態の表示パネルの部分的な詳細を示す概略図である。
【図１３】左右パネル領域のサイズを変更して、二つの映像を表示した状態を示す概略図である。
【図１４】本発明の第５実施形態に係る表示装置の内部構成を示すブロック図である。
【図１５】第５実施形態の表示パネルの部分的な詳細を示す概略図である。
【図１６】本発明の第６実施形態に係る表示装置の内部構成を示すブロック図である。
【図１７】第６実施形態の表示パネルの部分的な詳細を示す概略図である。
【図１８】（ａ）は十字状の境界で区分けした状態を示す概略図、（ｂ）は２本の垂直境界及び１本の水平境界で区分けした状態を示す概略図、（ｃ）は１本の垂直境界及び２本の水平境界で区分けした状態を示す概略図である。
【符号の説明】
【０１００】
１、２１、４１、６０、７０、８０  表示装置
２、６５  データドライブ回路
４、４４、６７、８４  第１ゲートドライブ回路
５、４５、６８、８５  第２ゲートドライブ回路
６、２６、４６、６６、７８、８６  信号制御部
７、２７、４７、６０ｂ、７０ｂ、８７  切替部
１０、３０、５０、６０ａ、７０ａ、９０  ＣＰＵ
１１、３１、５１、６１、７１、９１  表示パネル
１２、３２、５２、６２、７２、９２  画素
２２、４２、７５、８２  第１データドライブ回路
２３、４３、７６、８３  第２データドライブ回路
２４、７７  ゲートドライブ回路
１３、３３、６３、７３  スイッチユニット
１４、３４、５４、５７、６４、７４、９４、９７  切断スイッチ
１５、３５、５５、５８、６４ａ、７４ａ、９５、９８  連動切替部
５３、９３  左右分割用スイッチユニット
５６、９６  上下分割用スイッチユニット
【図１】
2007322747.tif 000003
【図２】
2007322747.tif 000004
【図３】
2007322747.tif 000005
【図４】
2007322747.tif 000006
【図５】
2007322747.tif 000007
【図６】
2007322747.tif 000008
【図７】
2007322747.tif 000009
【図８】
2007322747.tif 000010
【図９】
2007322747.tif 000011
【図１０】
2007322747.tif 000012
【図１１】
2007322747.tif 000013
【図１２】
2007322747.tif 000014
【図１３】
2007322747.tif 000015
【図１４】
2007322747.tif 000016
【図１５】
2007322747.tif 000017
【図１６】
2007322747.tif 000018
【図１７】
2007322747.tif 000019
【図１８】
2007322747.tif 000020